(57)【要約】【課題】媒体を容易に識別可能に保持することができるようにした媒体ホルダーを提供する。【解決手段】内部が空洞状に形成されるとともに上面に開口部が形成された本体部と、本体部に配設された媒体保持手段と、本体部の内部に配置されるとともに発光ダイオードと発光ダイオードのオン／オフを制御するスイッチとを搭載したプリント基板と、本体部の内部に配置されるとともに発光ダイオードを点灯するための電力を供給する電池と、本体部の開口部内に上下方向に摺動自在に嵌合された透明なレンズ状のカバー部材と、カバー部材を常時上方向に付勢するバネ部材とを有し、バネ部材の付勢力に抗してカバー部材が下方向に移動されると、カバー部材の下端部とスイッチとが当接し、カバー部材の下端部によりスイッチをオン／オフし、スイッチがオンされると発光ダイオードが点滅または点灯し、スイッチがオフされると発光ダイオードが消灯する。【選択図】        図１
0003127082.tif 000002
【実用新案登録請求の範囲】
【請求項１】
媒体を保持する媒体ホルダーにおいて、
内部が空洞状に形成されるとともに上面に開口部が形成された本体部と、
前記本体部に配設された媒体保持手段と、
前記本体部の前記内部に配置されるとともに発光ダイオードと前記発光ダイオードのオン／オフを制御するスイッチとを搭載したプリント基板と、
前記本体部の前記内部に配置されるとともに前記発光ダイオードを点灯するための電力を供給する電池と、
前記本体部の前記開口部内に上下方向に摺動自在に嵌合された透明なレンズ状のカバー部材と、
前記カバー部材を常時上方向に付勢するバネ部材とを有し、
前記バネ部材の付勢力に抗して前記カバー部材が下方向に移動されると、前記カバー部材の下端部と前記スイッチとが当接し、前記カバー部材の前記下端部により前記スイッチをオン／オフし、
前記スイッチがオンされると前記発光ダイオードが点滅または点灯し、前記スイッチがオフされると前記発光ダイオードが消灯する
ことを特徴とする媒体ホルダー。
【請求項２】
請求項１に記載の媒体ホルダーにおいて、
前記媒体保持手段は、ピンである
ことを特徴とする媒体ホルダー。
【請求項３】
請求項１に記載の媒体ホルダーにおいて、
前記媒体保持手段は、マグネットである
ことを特徴とする媒体ホルダー。
【請求項４】
請求項１に記載の媒体ホルダーにおいて、
前記媒体保持手段は、互いに対向するように付勢された鋸歯状部材である
ことを特徴とする媒体ホルダー。
【考案の詳細な説明】
【技術分野】
【０００１】
本考案は、媒体ホルダーに関し、さらに詳細には、メモやメッセージなどが記載された書類などを保持するのに適した媒体ホルダーに関する。
【０００２】
なお、本明細書において「媒体」とは、普通紙などの紙類よりなる各種の記録媒体は勿論のこと、ＰＶＣ、ポリエステルなどの樹脂材料やアルミ、鉄、木材のような材料などの各種の材料よりなるものが含まれるものとする。
【背景技術】
【０００３】
従来より、メモやメッセージなどが記載された書類などの媒体を保持するには、媒体ホルダーとして、例えば、画鋲、マグネット、クリップあるいはペーパーウェイトなどが用いられてきている。
【０００４】
例えば、壁面にメモやメッセージなどが記載された書類を取り外し自在に保持させておく際には、画鋲やマグネットなどを用いることが便利であり、風などで吹き飛ばされないように壁面にメモやメッセージなどが記載された書類を机上に載置して置く場合には、クリップやペーパーウェイトなどを用いることが便利である。
【０００５】
ところで、壁面や机上にメモやメッセージなどが記載された書類が多数存在するような場合には、これら書類を見る者にとって、いずれの書類に記載されたメモやメッセージが重要であるかを容易に判断することは困難であるという問題点があった。
【０００６】
このため、こうした書類を見る者は、重要度の高低とは無関係に、これらのメモやメッセージなどが記載された書類を順番に読んで行かなければならなかった。
【０００７】
また、上記のように壁面や机上にメモやメッセージなどが記載された書類が多数存在するような場合には、これら書類を見る者にとって、未読の書類がいずれであるかを特定することが容易ではないという問題点もあった。
【０００８】
このため、こうした書類を見る者にとっては、既に読んだメモやメッセージを再び読んでしまう恐れがあった。
【０００９】
なお、本願出願人が実用新案登録出願時に知っている先行技術は、上記において説明したようなものであって文献公知考案に係る考案でないため、記載すべき先行技術情報はない。
【考案の開示】
【考案が解決しようとする課題】
【００１０】
本考案は、従来の技術の有する上記したような種々の問題点に鑑みてなされたものであり、その目的とするところは、メモやメッセージなどが記載された書類などの各種媒体を、容易に識別可能に保持することができるようにした媒体ホルダーを提供しようとするものである。
【課題を解決するための手段】
【００１１】
上記目的を達成するために、本考案による媒体ホルダーは、内部に発光ダイオード（ＬＥＤ）を組み込み、ＬＥＤの点灯／消灯や点滅により保持された媒体の識別を可能にしたものである。
【００１２】
即ち、本考案のうち請求項１に記載の考案は、媒体を保持する媒体ホルダーにおいて、内部が空洞状に形成されるとともに上面に開口部が形成された本体部と、上記本体部に配設された媒体保持手段と、上記本体部の上記内部に配置されるとともに発光ダイオードと上記発光ダイオードのオン／オフを制御するスイッチとを搭載したプリント基板と、上記本体部の上記内部に配置されるとともに上記発光ダイオードを点灯するための電力を供給する電池と、上記本体部の上記開口部内に上下方向に摺動自在に嵌合された透明なレンズ状のカバー部材と、上記カバー部材を常時上方向に付勢するバネ部材とを有し、上記バネ部材の付勢力に抗して上記カバー部材が下方向に移動されると、上記カバー部材の下端部と上記スイッチとが当接し、上記カバー部材の上記下端部により上記スイッチをオン／オフし、上記スイッチがオンされると上記発光ダイオードが点滅または点灯し、上記スイッチがオフされると上記発光ダイオードが消灯するようにしたものである。
【００１３】
また、本考案のうち請求項２に記載の考案は、本考案のうち請求項１に記載の考案において、上記媒体保持手段は、ピンであるようにしたものである。
【００１４】
また、本考案のうち請求項３に記載の考案は、本考案のうち請求項１に記載の考案において、上記媒体保持手段は、マグネットであるようにしたものである。
【００１５】
また、本考案のうち請求項４に記載の考案は、本考案のうち請求項１に記載の考案において、上記媒体保持手段は、互いに対向するように付勢された鋸歯状部材であるようにしたものである。
【考案の効果】
【００１６】
本考案は、以上説明したように構成されているので、メモやメッセージなどが記載された書類などの各種媒体を、容易に識別可能に保持することができるという優れた効果を奏する。
【考案を実施するための最良の形態】
【００１７】
以下、添付の図面を参照しながら本考案による媒体ホルダーの実施の形態の一例を詳細に説明するものとする。
【００１８】
なお、以下に説明する各実施の形態において、それぞれ同一または相当するような共通の構成ならびに作用については、第１の実施の形態に関して詳細に説明するものとし、他の実施の形態におけるそれらの詳細な説明は適宜に省略するものとする。
【００１９】
まず、図１および図２（ａ）（ｂ）を参照しながら、本考案の第１の実施の形態による媒体ホルダーについて説明する。なお、図１は本考案の第１の実施の形態による媒体ホルダーの斜視説明図であり、図２（ａ）は図１のＩＩ−ＩＩ線による概略断面構成説明図であり、図２（ｂ）は図１のＡ矢印方向から観察した概略透視説明図である。
【００２０】
この本考案の第１の実施の形態による媒体ホルダー１０は、画鋲と同様な機能を持つ、所謂、画鋲タイプの媒体ホルダーである。
【００２１】
この媒体ホルダー１０は、内部１２ａが空洞状に形成されるとともに上面に開口部１２ｂが形成された本体部１２と、媒体保持手段として本体部１２の下部１２ｃに固定的に埋設された先端が先鋭に形成されたピン１４と、本体部１２の内部１２ａに配置されるとともに発光ダイオード（ＬＥＤ）１６と発光ダイオード１６のオン／オフを制御するスイッチ１８とを搭載したプリント基板２０と、本体部１２の内部１２ａに配置されるとともに発光ダイオード１６を点灯するための電力を供給するボタン型の電池２２と、本体部１２の開口部１２ｂ内に上下方向に摺動自在に嵌合された透明なレンズ状のカバー部材２４と、カバー部材２４を常時上方向に付勢するバネ部材２６とを有して構成されている。
【００２２】
なお、媒体ホルダー１０においては、バネ部材２６の付勢力に抗してカバー部材２４が下方向に移動されると、カバー部材２４の下端部２４ａとスイッチ１８とが当接し、カバー部材２４の下端部２４ａによりスイッチ１８をオン／オフすることができるように寸法設定されている。なお、スイッチ１８は、カバー部材２４の下端部２４ａとスイッチ１８とが当接する毎に、オンとオフとを交互に繰り返すものである。
【００２３】
そして、スイッチ１８がオンされると発光ダイオード１６もオン状態となり、スイッチ１８がオフされると発光ダイオード１６もオフ状態となる。
【００２４】
この発光ダイオード１６は、オン状態で点滅し、オフ状態で消灯するように設定されている。
【００２５】
以上の構成において、媒体ホルダー１０を用いて、媒体として書類を壁に保持する場合について説明する。
【００２６】
即ち、媒体ホルダー１０のユーザーが、媒体ホルダー１０により書類を壁に保持する場合には、画鋲で壁に書類を留める場合と同様に、書類にピン１４を突き刺すようにして、ピン１４を壁に突き刺せばよい。これにより、書類は媒体ホルダー１０により壁に保持されることになる。
【００２７】
そして、ユーザーなどが、媒体ホルダー１０により壁に保持された書類を他のものと区別させたい場合には、カバー部材２４を下方に押し下げてスイッチ１８をオンすればよい。このスイッチ１８のオンにより発光ダイオード１６もオン状態となり、発光ダイオード１６が点滅する。
【００２８】
こうした発光ダイオードの点滅は、カバー部材２４を介して外部から視認できるので、壁に保持された書類を読もうとする者は、媒体ホルダー１０により壁に保持された書類をその他の書類と容易に識別することができる。
【００２９】
また、上記ユーザーや壁に保持された書類を読もうとする者などが、媒体ホルダー１０の発光ダイオードの点滅を停止させる場合には、カバー部材２４を下方に押し下げてスイッチ１８をオフすればよい。このスイッチ１８のオフにより発光ダイオード１６もオフ状態となり、発光ダイオード１６が消灯する。
【００３０】
次に、図３（ａ）（ｂ）を参照しながら、本考案の第２の実施の形態による媒体ホルダーについて説明する。なお、図３（ａ）は概略断面構成説明図であり、図３（ｂ）は図３（ａ）の上方向から観察した概略透視説明図である。
【００３１】
この本考案の第２の実施の形態による媒体ホルダー１００は、マグネットと同様な機能を持つ、所謂、マグネットタイプの媒体ホルダーである。
【００３２】
この媒体ホルダー１００は、内部１０２ａを空洞状に形成された本体部１０２が、上面に開口部１２ｂが形成された上部本体部１０２ｂと、下面に凹所１０２ｃが形成された下部本体部１０２ｄとにより構成されていて、凹所１０２ｃにピン１４に代えて媒体保持手段としてマグネット１０４が配設されている点において、上記した本考案の第１の実施の形態による媒体ホルダー１０と異なる。
【００３３】
こうした媒体ホルダー１００を用いて、媒体として書類を冷蔵庫の壁などの金属製の壁面に保持する場合について説明する。
【００３４】
例えば、媒体ホルダー１００のユーザーが、媒体ホルダー１００により書類を冷蔵庫壁に保持する場合には、通常のマグネットで冷蔵庫壁に書類を留める場合と同様に、媒体ホルダー１００のマグネット１０４と冷蔵庫壁との間に書類を挟むようにして、媒体ホルダー１００のマグネット１０４と冷蔵庫壁とを吸着させればよい。これにより、書類は媒体ホルダー１００により冷蔵壁に保持されることになる。
【００３５】
そして、ユーザーなどが、媒体ホルダー１００により冷蔵庫壁に保持された書類を冷蔵庫壁に貼られた他のものと区別させたい場合には、カバー部材２４を下方に押し下げてスイッチ１８をオンすればよい。このスイッチ１８のオンにより発光ダイオード１６もオン状態となり、発光ダイオード１６が点滅する。
【００３６】
こうした発光ダイオードの点滅は、カバー部材２４を介して外部から視認できるので、冷蔵庫壁に貼られた書類を読もうとする者は、媒体ホルダー１００により冷蔵庫壁に保持された書類をその他の書類と容易に識別することができる。
【００３７】
また、上記ユーザーや冷蔵庫壁に保持された書類を読もうとする者などが、媒体ホルダー１００の発光ダイオードの点滅を停止させる場合には、カバー部材２４を下方に押し下げてスイッチ１８をオフすればよい。このスイッチ１８のオフにより発光ダイオード１６もオフ状態となり、発光ダイオード１６が消灯する。
【００３８】
次に、図４（ａ）（ｂ）を参照しながら、本考案の第３の実施の形態による媒体ホルダーについて説明する。なお、図４（ａ）は概略断面構成説明図であり、図４（ｂ）は図４（ａ）の上方向から観察した概略透視説明図である。
【００３９】
この本考案の第３の実施の形態による媒体ホルダー１００は、書類などを挟んで机上に置いておくクリップと同様な機能を持つ、所謂、クリップタイプの媒体ホルダーである。
【００４０】
この媒体ホルダー２００は、内部２０２ａを空洞状に形成された本体部２０２が、下方に突出形成された支持部材２０２ｂと、下面に鋸歯状に形成された把持部２０２ｃとを有して構成されていて、本体部２０２の下方位置に支持部材２０２ｂに対して回動自在に支持される支持部材２０４ａを形成された基板部材２０４を備えている点において、上記した本考案の第１の実施の形態による媒体ホルダー１０と異なる。
【００４１】
なお、基板部材２０４の把持部２０２ｃと対向する部位には、鋸歯状に形成された把持部２０４ｂが形成されている。
【００４２】
また、本体部２０２と基板部材２０４とは、図示しないバネ部材によって、把持部２０２ｃと把持部２０４ｂとが噛み合う方向に常に付勢されており、把持部２０２ｃと把持部２０４ｂとにより媒体保持手段が構成されている。
【００４３】
こうした媒体ホルダー２００を用いて、机上から書類が飛ばないように当該机上に書類を保持する場合について説明する。
【００４４】
即ち、この場合には、把持部２０２ｃと把持部２０４ｂとに隙間を設けるように、把持部２０２ｃと把持部２０４ｂとが噛み合う方向への付勢力に抗して外部から力を加え、当該隙間に書類を挟んだ後に当該外部の力を取り除けばよい。これにより、書類は媒体ホルダー２００により保持されることになる。
【００４５】
そして、ユーザーなどが、媒体ホルダー２００により保持された書類を他のものと区別させたい場合には、カバー部材２４を下方に押し下げてスイッチ１８をオンすればよい。このスイッチ１８のオンにより発光ダイオード１６もオン状態となり、発光ダイオード１６が点滅する。
【００４６】
こうした発光ダイオードの点滅は、カバー部材２４を介して外部から視認できるので、冷蔵庫壁に貼られた書類を読もうとする者は、媒体ホルダー２００により保持された書類をその他の書類と容易に識別することができる。
【００４７】
また、上記ユーザーや媒体ホルダー２００に保持された書類を読もうとする者などが、媒体ホルダー２００の発光ダイオードの点滅を停止させる場合には、カバー部材２４を下方に押し下げてスイッチ１８をオフすればよい。このスイッチ１８のオフにより発光ダイオード１６もオフ状態となり、発光ダイオード１６が消灯する。
【００４８】
従って、上記した媒体ホルダー１０、１００、２００によれば、発光ダイオード１６の点滅により夜間などでもその存在を容易に視認することができるので、例えば、母親が発光ダイオード１６を点滅させた状態でメッセージを記載した紙面を保持した媒体ホルダー１０、１００、２００を冷蔵庫壁などに取り付けておけば、夜間帰宅した子供も重要なメッセージを見落とすことなく読むことができる。
【００４９】
なお、上記した各実施の形態においては、発光ダイオード１６はオン状態で点滅するものとしたが、これに限られるものでないことは勿論であり、発光ダイオード１６はオン状態で単に点灯するものとしてもよい。
【産業上の利用可能性】
【００５０】
本考案は、メモやメッセージなどが記載された書類などの媒体を保持する場合に利用することができる。
【図面の簡単な説明】
【００５１】
【図１】図１は、本考案の第１の実施の形態による媒体ホルダーの斜視説明図である。
【図２】図２（ａ）は図１のＩＩ−ＩＩ線による概略断面構成説明図であり、図２（ｂ）は図１のＡ矢印方向から観察した概略透視説明図である。
【図３】図３（ａ）は概略断面構成説明図であり、図３（ｂ）は図３（ａ）の上方向から観察した概略透視説明図である。
【図４】図４（ａ）は概略断面構成説明図であり、図４（ｂ）は図４（ａ）の上方向から観察した概略透視説明図である。
【符号の説明】
【００５２】
１０、１００、２００      媒体ホルダー
１２、１０２、１０４      本体部
１２ａ、１０２ａ、２０２ａ      内部
１２ｂ                          開口部
１２ｃ                          下部
１４                            ピン
１６                            発光ダイオード（ＬＥＤ）
１８                            スイッチ
２０                            プリント基板
２２                            電池
２４                            カバー部材
２４ａ                          下端部
２６                            バネ部材
１０２ｂ                          上部本体部
１０２ｃ                          凹所
１０２ｄ                          下部本体部
１０４                            マグネット
２０２ｂ                          支持部材
２０２ｃ                          把持部
２０４                            基板部材
２０４ａ                          支持部材
２０４ｂ                          把持部
【図２】
0003127082.tif 000003
【図３】
0003127082.tif 000004
【図４】
0003127082.tif 000005
【図１】
0003127082.tif 000006